(57)【要約】【課題】ユーザが容易に電子機器の筐体を把持できるようにすることで、ユーザの利便性を向上させる。【解決手段】指定位置（１）に加わる圧力を計測する圧力計測部（２１）と、入力面（４１）によって指定位置（１ａ）が検知され、圧力計測部（２１）によって指定位置（１ａ）に加わる圧力（６ａ）が計測されている場合に、指定位置（１ｂ）がさらに検知されたとき、指定位置（１ａ）において新たに計測される圧力（６ｃ）が、圧力（６ａ）より小さいか否かを判定する圧力和判定部（３１）と、圧力（６ａ）より小さくないと判定される場合、指定位置（１ｂ）を入力された情報として受け付ける情報入力部（１０）とを備えた。【選択図】図１
2014059765.tif 000002
【特許請求の範囲】
【請求項１】
ユーザにより指定された位置を検知可能な入力面を備え、当該指定された位置に基づいて情報の入力が可能な情報処理装置であって、
前記指定された位置に加わる圧力を計測する第１の計測手段と、
前記入力面によって第１の指定位置が検知され、前記第１の計測手段によって当該第１の指定位置に加わる第１の圧力が計測されている場合に、第２の指定位置がさらに検知されたとき、前記第１の指定位置において新たに計測される第２の圧力が、前記第１の圧力より小さいか否かを判定する第１の判定手段と、
前記第１の判定手段によって前記第１の圧力より小さくないと判定される場合、前記第２の指定位置を入力された情報として受け付ける入力手段とを備えたことを特徴とする情報処理装置。
【請求項２】
前記第１の判定手段は、前記第２の圧力と前記第２の指定位置に加わる第３の圧力との和が、前記第１の圧力と略等しいか否かをさらに判定し、
前記入力手段は、前記判定手段によって略等しくないと判定される場合、前記第２の指定位置を入力された情報として受け付けることを特徴とする請求項１に記載の情報処理装置。
【請求項３】
前記第１の計測手段によって計測された第１の圧力が所定のしきい値を超過したか否かを判定する第２の判定手段をさらに備え、
前記入力手段は、前記第２の判定手段によって所定のしきい値を超過しないと判定される場合、前記第１の指定位置を入力された情報として受け付けることを特徴とする請求項１または２に記載の情報処理装置。
【請求項４】
前記入力面における位置を指定するユーザの操作が当該入力面に沿って移動することにより、前記指定された位置が変化したことを検知する検知手段をさらに備え、
前記入力手段は、前記指定された位置を入力された情報として受け付けていない場合に、前記検知手段によって当該指定された位置が変化したことが検知されたとき、変化した後の指定された位置を入力された情報として受け付けないことを特徴とする請求項１から３のいずれか１項に記載の情報処理装置。
【請求項５】
前記入力手段によって指定された位置が入力された情報として受け付けられていないことを、ユーザが認識可能に出力する出力手段をさらに備えたことを特徴とする請求項１から４のいずれか１項に記載の情報処理装置。
【請求項６】
前記入力手段によって指定された位置が入力された情報として受け付けられていないことを、ユーザが認識可能に出力する出力手段をさらに備え、
前記出力手段は、前記検知手段によって変化したことが検知されない場合、前記入力手段によって指定された位置が入力された情報として受け付けられていないことを、ユーザが認識可能に出力することを中断することを特徴とする請求項４に記載の情報処理装置。
【請求項７】
前記指定された位置の前記入力面に接触した面積を計測する第２の計測手段をさらに備え、
前記第１の計測手段は、前記第２の計測手段によって計測された面積に応じた圧力を計測することを特徴とする請求項１から６のいずれか１項に記載の情報処理装置。
【請求項８】
前記入力手段は、前記指定された位置を入力された情報として受け付けていない場合、表示面に表示されるコンテンツの変化にかかわらず、当該指定された位置を入力された情報としてなお受け付けないことを特徴とする請求項１から７のいずれか１項に記載の情報処理装置。
【請求項９】
前記入力手段は、前記指定された位置を入力された情報として受け付けていない場合、前記情報処理装置が実行する処理の変化にかかわらず、当該指定された位置を入力された情報としてなお受け付けないことを特徴とする請求項１から８のいずれか１項に記載の情報処理装置。
【請求項１０】
ユーザにより指定された位置を検知可能な入力面を備え、当該指定された位置に基づいて情報の入力が可能な情報処理装置の制御方法であって、
前記入力面によって第１の指定位置が検知され、当該第１の指定位置に加わる第１の圧力が計測されている場合に、第２の指定位置がさらに検知されたとき、前記第１の指定位置において新たに計測される第２の圧力が、前記第１の圧力より小さいか否かを判定する第１の判定ステップと、
前記第１の判定ステップにおいて前記第１の圧力より小さくないと判定される場合、前記第２の指定位置を入力された情報として受け付ける入力ステップとを含むことを特徴とする情報処理装置の制御方法。
【請求項１１】
請求項１から９のいずれか１項に記載の情報処理装置を動作させるための制御プログラムであって、コンピュータを前記各手段として機能させるための制御プログラム。
【請求項１２】
請求項１１に記載の制御プログラムを記録したコンピュータ読み取り可能な記録媒体。
【発明の詳細な説明】
【技術分野】
【０００１】
本発明は、ユーザにより指定された位置を検知可能な入力面を備え、当該指定された位置に基づいて情報の入力が可能な情報処理装置等に関するものである。
【背景技術】
【０００２】
タッチパネルなどの入力面を備えた表示面を有する電子機器が広く普及するなか、ユーザが当該電子機器に手書き入力を行う機会が増えている。例えば、タブレット型端末をはじめとする情報端末や一部の家庭用ゲーム機においては、ユーザが指やスタイラスなどの指示具で手書き操作を行うことにより、文字や図形などを入力する形態が一般的である。
【０００３】
したがって、上記電子機器における手書き入力の利便性を向上させる技術が、広く開発されている。例えば、下記の特許文献１には、２つのタッチ領域が検出された場合、両タッチ領域の面積を比較し、小面積のタッチ領域を有効とし、大面積のタッチ領域を無効とするタッチパネル装置が開示されている。
【０００４】
また、下記の特許文献２には、所望の操作キーの操作のみを無効にし、その無効操作を簡易に行うことができる表示機能付き端末装置が開示されている。さらに、下記の特許文献３には、表面と接触する様々な手の部分を識別する方法が開示されている。
【先行技術文献】
【特許文献】
【０００５】
【特許文献１】特開２００６−０３９６８６号公報（２００６年０２月０９日公開）
【特許文献２】特開２００９−１８１２４４号公報（２００９年０８月１３日公開）
【特許文献３】特開２０１２−０９９１６１号公報（２０１２年０５月２４日公開）
【発明の概要】
【発明が解決しようとする課題】
【０００６】
上記電子機器を長時間使用することによって、当該電子機器を把持する手に疲労がたまると、ユーザは当該電子機器を持ち替えたり、両手持ちしたりすることが必要となる。特に、スマートフォンなどの小型の機器よりも筐体の大きい（したがって重量が大きい）タブレット型端末では、ユーザは疲労を感じやすい。
【０００７】
ここで、例えばユーザが上記電子機器を片方の手からもう片方の手（例えば左手から右手）に持ち替える場合、後から当該電子機器を支えるもう片方の手が、上記入力面に接触することが多い。上記入力面を備えた表示面の筐体に占める割合が増加するに伴って、当該筐体において把持可能な部分が減少しているからである。
【０００８】
上記場合において、上記の特許文献１に記載されたタッチパネル装置に例示される従来の電子機器は、上記接触によって当該電子機器に入力のための操作が行われたと誤認識する。したがって、ユーザが電子機器を持ち替えたい場合であっても、従来の電子機器は、ユーザの意図しない入力を受け付けてしまう。上記の特許文献２および３に記載された従来の技術においても、同様の問題がある。
【０００９】
本発明は、上記の問題点に鑑みてなされたものであり、その目的は、入力面で検知した情報を識別し、ユーザが容易に筐体を把持できるようにすることによって、ユーザの利便性を向上させる情報処理装置等を提供することである。
【課題を解決するための手段】
【００１０】
上記の課題を解決するために、本発明の一態様に係る情報処理装置は、ユーザにより指定された位置を検知可能な入力面を備え、当該指定された位置に基づいて情報の入力が可能な情報処理装置であって、前記指定された位置に加わる圧力を計測する第１の計測手段と、前記入力面によって第１の指定位置が検知され、前記第１の計測手段によって当該第１の指定位置に加わる第１の圧力が計測されている場合に、第２の指定位置がさらに検知されたとき、前記第１の指定位置において新たに計測される第２の圧力が、前記第１の圧力より小さいか否かを判定する第１の判定手段と、前記第１の判定手段によって前記第１の圧力より小さくないと判定される場合、前記第２の指定位置を入力された情報として受け付ける入力手段とを備えている。
【００１１】
また、上記の課題を解決するために、本発明の一態様に係る情報処理装置の制御方法は、ユーザにより指定された位置を検知可能な入力面を備え、当該指定された位置に基づいて情報の入力が可能な情報処理装置の制御方法であって、前記入力面によって第１の指定位置が検知され、当該第１の指定位置に加わる第１の圧力が計測されている場合に、第２の指定位置がさらに検知されたとき、前記第１の指定位置において新たに計測される第２の圧力が、前記第１の圧力より小さいか否かを判定する第１の判定ステップと、前記第１の判定ステップにおいて前記第１の圧力より小さくないと判定される場合、前記第２の指定位置を入力された情報として受け付ける入力ステップとを含んでいる。
【発明の効果】
【００１２】
本発明の一態様に係る情報処理装置および当該装置の制御方法は、入力面によって検知された指定位置が、当該情報処理装置を操作するユーザの指によるものか、当該情報処理装置を把持するユーザの指によるものかを識別し、後者によって入力された情報のみを棄却できる。これにより、ユーザは誤入力のおそれを意識することなく、筐体を把持するために入力面に接触できる。
【００１３】
したがって、本発明の一態様に係る情報処理装置および当該装置の制御方法は、ユーザに当該情報処理装置の筐体を容易に把持させることができるため、ユーザの利便性を向上させることができるという効果を奏する。
【図面の簡単な説明】
【００１４】
【図１】本発明の一実施の形態に係るタブレット型端末の要部構成を示すブロック図である。
【図２】ユーザが左手に把持した上記タブレット型端末を、右手に持ち替える場合の一連の動作を表した模式図であり、（ａ）はユーザが当該タブレット型端末を左手で把持している様子を示し、（ｂ）は両手で把持している様子を示し、（ｃ）は右手で把持している様子を示す。
【図３】２つの指定位置のそれぞれに加わる圧力の時間遷移を示すグラフである。
【図４】（ａ）は、上記タブレット型端末の外観例を表した模式図であり、（ｂ）は、ユーザによる当該タブレット型端末の操作例を表した模式図である。
【図５】上記タブレット型端末が実行する処理の一例を示すフローチャートである。
【発明を実施するための形態】
【００１５】
図１〜図５に基づいて、本発明の実施の形態を詳細に説明する。
【００１６】
〔タブレット型端末１００の概要〕
図１に基づいて、タブレット型端末１００の概略を説明する。図１は、タブレット型端末１００の要部構成を示すブロック図である。
【００１７】
図１に示すように、タブレット型端末（情報処理装置）１００は、ユーザにより指定された位置（以下「接触位置」または「指定位置」とも称する）を検知可能な入力面４１を備え、当該指定された位置に基づいて情報の入力が可能な情報処理装置である。
【００１８】
図２に基づいて、タブレット型端末１００の基本的な動作を説明する。図２は、ユーザが左手に把持したタブレット型端末１００を、右手に持ち替える場合の一連の動作を表した模式図であり、（ａ）はユーザが当該タブレット型端末を左手で把持している様子を示し、（ｂ）は両手で把持している様子を示し、（ｃ）は右手で把持している様子を示す。
【００１９】
図２の（ａ）に示すように、タブレット型端末１００は、ユーザが当該タブレット型端末を把持することによって接触した指の位置（指定位置１ａ）を検知し、当該指定位置に加わる圧力（第１の圧力）６ａを計測する。当該圧力が圧力しきい値を超過している場合、タブレット型端末１００は、指定位置（第１の指定位置、指定された位置）１ａを入力された情報として受け付けない。
【００２０】
図２の（ｂ）に示すように、ユーザがタブレット型端末１００を両手で把持することによって、指定位置（第２の指定位置、指定された位置）１ｂがさらに検知された場合、当該タブレット型端末は、当該指定位置に加わる圧力（第３の圧力）６ｂを計測する。また、当該タブレット型端末は、指定位置１ａに加わる圧力（第２の圧力）６ｃを新たに計測する。なお、タブレット型端末１００は、所定の時間間隔で指定位置に加わる圧力を計測することにより、当該圧力の最も新しい値を常に取得している。
【００２１】
タブレット型端末１００は、圧力６ｃが当初計測した圧力６ａよりも小さいか否かを判定する。圧力６ｃが圧力６ａより小さくない場合、タブレット型端末１００は、指定位置１ｂは当該タブレット型端末を操作するユーザ操作７ａによるものと判定し、指定位置１ｂによって入力される情報を受け付ける。
【００２２】
一方、圧力６ｃが圧力６ａより小さい場合、タブレット型端末１００は、指定位置１ｂは当該タブレット型端末を把持する指によるものと判定し、指定位置１ｂによって入力される情報を受け付けない。ユーザがタブレット型端末１００を両手で把持した場合、圧力６ａの一部が指定位置１ｂによって肩代わりされることにより、圧力６ｃは圧力６ａよりも小さくなるためである。
【００２３】
したがって、タブレット型端末１００は、圧力６ｃが圧力６ａより小さい場合、指定位置１ｂは当該タブレット型端末を把持するユーザの指によるものと判定できる。これにより、タブレット型端末１００は、指定位置１ｂによって入力される情報を棄却できる。
【００２４】
なお、タブレット型端末１００は、指定位置１ｂだけでなく、当該指定位置を含む所定の領域の内部にある接触位置も受け付けなくともよい。指先だけでなく、当該指の他の部分や手のひら等も入力面４１に接触することが通常であり、当該接触によって入力される情報も棄却する必要があるからである。
【００２５】
また、タブレット型端末１００は、圧力６ｂと圧力６ｃとの和（以下「圧力和」とも称する）が、当初計測した圧力６ａと略等しいか否かを判定してもよい。略等しくない場合、タブレット型端末１００は、指定位置１ｂは当該タブレット型端末を操作するユーザ操作７ａによるものと判定し、指定位置１ｂによって入力される情報を受け付ける（この場合、圧力和は圧力６ａよりも大きくなることが通常である）。
【００２６】
一方、圧力和が圧力６ａと略等しい場合、タブレット型端末１００は、指定位置１ｂは当該タブレット型端末を把持するユーザの指によるものと判定し、指定位置１ｂによって入力される情報を受け付けない。
【００２７】
図３に基づいて、タブレット型端末１００が上記処理を実行する根拠を説明する。図３は、２つの指定位置（指定位置１ａおよび指定位置１ｂ）のそれぞれに加わる圧力の時間遷移を示すグラフである。
【００２８】
図３に示すように、ユーザは左手に把持したタブレット型端末１００を右手に持ち替える動作を、時刻Ａから開始している。時刻Ｂにおいて、それぞれの手で支える加重が等しくなり、時刻Ｃにおいて、持ち替えが完了している。ここで、圧力和と圧力６ａとは、略等しい。ユーザが手で支える加重は一定だからである。
【００２９】
したがって、タブレット型端末１００は、圧力和が圧力６ａと略等しい場合、指定位置１ｂは当該タブレット型端末を把持するユーザの指によるものと判定できる。これにより、タブレット型端末１００は、指定位置１ｂによって入力される情報を棄却できる。
【００３０】
なお、図２の（ｃ）に示すように、ユーザが持ち替えを完了した後も、タブレット型端末１００は指定位置１ｂによって入力される情報を棄却してよい。
【００３１】
前述したように、従来の電子機器を片方の手からもう片方の手に持ち替える場合、後から当該電子機器を支えるもう片方の手が入力面に接触すると、当該従来の電子機器は、当該接触によって当該電子機器に入力のための操作が行われたと誤認識する。したがって、ユーザが電子機器を持ち替えたい場合であっても、従来の電子機器は、ユーザが意図しない入力を受け付けてしまうという問題がある。
【００３２】
これに対して、タブレット型端末１００は、入力面４１によって検知された指定位置１ａまたは指定位置１ｂが、当該タブレット型端末を操作するユーザの指によるものか、当該タブレット型端末を把持するユーザの指によるものかを識別し、後者によって入力された情報のみを棄却できる。これにより、ユーザは誤入力のおそれを意識することなく、タブレット型端末１００の筐体を把持するために入力面４１に接触できる。
【００３３】
したがって、タブレット型端末１００は、ユーザに筐体を容易に把持させることができるため、ユーザの利便性を向上させることができる。
【００３４】
〔タブレット型端末１００の外観および操作例〕
図４に基づいて、タブレット型端末１００の外観および操作の一例を説明する。図４の（ａ）は、タブレット型端末１００の外観例を表した模式図であり、図４の（ｂ）は、ユーザによるタブレット型端末１００の操作例を表した模式図である。
【００３５】
図４の（ａ）に示すように、タブレット型端末１００は、入力面４１、表示面７２、および電源スイッチ４３を備える。
【００３６】
なお、各構成が有する機能を明示するために、図１は入力面４１と表示面７２とを分離して示すが、例えば入力面４１をタッチパネルで、表示面７２を液晶ディスプレイで実現する場合、図４の（ａ）に示すように、両者は一体として構成されてよい。これにより、入力面４１に対するスタイラス４の接触位置と、表示面７２が当該接触に応じて表示する図形等の表示位置とが一致するため、ユーザは自然な入力感覚を得ることができる。
【００３７】
図４の（ｂ）に示すように、ユーザはスタイラス４を用いて入力面４１をタッチし、タブレット型端末１００に当該入力面における位置を指定することにより（入力面上の座標を与えることにより）、アイコンを選択するなどの指示を特定可能な情報を、タブレット型端末１００に与えることができる。
【００３８】
なお、図４の（ｂ）は、ユーザがタブレット型端末１００を左手で把持し、右手に把持したスタイラス４を入力面４１に接触させる様子を図示した。しかし、ユーザがタブレット型端末１００またはスタイラス４を把持する手は、右手であってもよいし、左手であってもよい。
【００３９】
また、ユーザはタブレット型端末１００を操作するために、スタイラスなどの指示具ではなく指を用いることもできる。すなわち、本記載をとおして、「スタイラス」および「指示具」には「ユーザの指」が含まれる。
【００４０】
さらに、「ユーザが入力面にスタイラスを接触させる」として説明した。しかし、入力面４１が、例えばスタイラスの近接を検知可能なタッチパネルである場合、タブレット型端末１００は、入力面４１に対するスタイラスの近接を検出することによっても、接触の場合と同様に動作可能である。
【００４１】
上記のように、タブレット型端末１００は携帯可能な情報処理装置である。ここで、タブレット型端末１００と同等の機能は、携帯電話、スマートフォン、パーソナルコンピュータなどでも実現できることに注意する。すなわち、所定の動作に必要な情報を取得可能な電子機器でありさえすれば、端末はタブレット型端末でなくともよい。
【００４２】
〔タブレット型端末１００の構成〕
図１に基づいて、タブレット型端末１００の構成を説明する。なお、記載の簡潔性を担保する観点から、本実施の形態に直接関係のない部分は構成の説明およびブロック図から省略した（例えば、図４は電源スイッチ４３を示すが、図１はこれを省略した）。ただし、実施の実情に則して、タブレット型端末１００は当該省略した構成を含んでもよい。
【００４３】
以下、入力面４１、計測部２０（圧力計測部２１、面積計測部２２）、判定部３０（圧力和判定部３１、しきい値判定部３２）、変化検知部５０、情報入力部１０、表示部７０（表示制御部７１、表示目７２）の順序で各構成が担う機能を説明する。
【００４４】
入力面４１は、接触したユーザの指またはスタイラス４の当該入力面上における位置の情報を含む入力信号５を、圧力計測部２１、面積計測部２２、および変化検知部５０に出力する。なお、入力面４１は、入力信号５を出力可能な機器でありさえすれば、ハードウェアの種類はタッチパネルに限定されない。
【００４５】
計測部２０は、接触位置に加えられた圧力、および接触位置の面積を計測可能な各種センサを備えた機器である。計測部２０は、圧力計測部２１と面積計測部２２とを含む。
【００４６】
圧力計測部（第１の計測手段）２１は、入力面４１から入力された入力信号５に基づいて、指定位置に加わる圧力を計測し、当該圧力を示す圧力情報２ａを圧力和判定部３１およびしきい値判定部３２に出力する。
【００４７】
面積計測部（第２の計測手段）２２は、入力面４１から入力された入力信号５に基づいて、接触位置の入力面４１に接触した面積（入力面４１に接触した指の面積、以下「接触面積」ともいう）を計測し、当該面積を示す面積情報２ｂを圧力計測部２１に出力する。
【００４８】
なお、面積計測部２２から面積情報２ｂが入力された場合、圧力計測部２１は当該面積情報に応じた圧力を計測できる。すなわち、入力面４１に加わる圧力が強いほど、ユーザの指の接触面積が増加することから、圧力計測部２１は、例えば面積情報２ｂを入力とする所定の関数計算（例えば比例計算）を行うことによっても圧力情報２ａを取得できる。また、入力面４１が静電容量方式を採用したタッチパネルの場合、特別なセンサを搭載しなくとも、面積計測部２２は接触面積を従来の技術により取得可能である。
【００４９】
判定部３０（第１の判定手段）は、圧力計測部２１から入力された圧力情報２ａに基づいて、入力面４１によって検出された接触が、当該タブレット型端末を操作するユーザの指によるものか、当該タブレット型端末を把持するユーザの指によるものかを識別する。
【００５０】
すなわち、判定部３０は、入力面４１によって指定位置１ａが検知され、圧力計測部２１によって指定位置１ａに加わる圧力６ａが計測されている場合に、指定位置１ｂがさらに検知されたとき、指定位置１ａにおいて新たに計測される圧力６ｃが、圧力６ａより小さいか否かを判定する。
【００５１】
具体的には、圧力和判定部３１は、圧力計測部２１から圧力情報２ａが入力されると、当該圧力情報が示す圧力６ｃが、圧力６ａより小さいか否かを判定し、その判定結果３ａを情報入力部１０に出力する。判定部３０は、圧力和判定部３１としきい値判定部３２とを含む。
【００５２】
圧力和判定部（第１の判定手段）３１は、指定位置１ｂに加わる圧力６ｂと圧力６ｃとの和（圧力和）が、圧力６ｃと略等しいか否かを判定する。具体的には、圧力和判定部３１は、圧力計測部２１から圧力情報２ａが入力されると、当該圧力情報が示す圧力６ｂと圧力６ｃとの和（圧力和）が、圧力６ａと略等しいか否かを判定し、その判定結果３ａを情報入力部１０に出力する。
【００５３】
しきい値判定部（第２の判定手段）３２は、圧力計測部２１から入力された圧力情報２ａが示す圧力が、圧力しきい値を超過したか否かを判定し、その判定結果３ｂを情報入力部１０に出力する。
【００５４】
圧力しきい値（所定のしきい値）λ１は、例えば以下の式で表される。
【００５５】
【数１】
2014059765.tif 000003
【００５６】
ここで、ｍはタブレット型端末１００の重量（ｋｇ）、ｇは重力加速度（ｍ／ｓ２）、μは静止摩擦係数を表す。ｍ＝0.220、ｇ＝9.80665、μ＝0.4のとき、上式によれば、圧力情報２ａによって示される圧力の値がλ１＝5.3936575≒5.4（Ｎ）を超える場合、しきい値判定部３２は、当該圧力の値が圧力しきい値を超過したことを示す判定結果３ｂを情報入力部１０に出力する。
【００５７】
変化検知部（検知手段）５０は、入力面４１における位置を指定するユーザ操作７ａが当該入力面に沿って移動することにより、指定位置が変化したことを検知する。
【００５８】
具体的には、変化検知部５０は、入力面４１から入力される入力信号５に含まれる指定位置の情報を取得する。そして、変化検知部５０は、当該指定位置の前回値と比較し、両者が略同一であれば指定位置が変化していないことを示す検知結果７ｃを、当該指定位置の今回値とともに情報入力部１０に出力する。一方、両者が略同一でなければ、変化検知部５０は指定位置が変化していることを示す検知結果７ｃを、当該指定位置の今回値とともに情報入力部１０に出力する。
【００５９】
バットを握りやすい場所を探すために、打者がグリップを把持する手を当該グリップ上でずらすことによって把持する位置を調整するように、タブレット型端末１００を把持しやすい位置を探すために、ユーザが当該タブレット型端末を把持する手を入力面４１の上でずらすことによって把持する位置を調整することがあり得る。また、タブレット型端末１００を把持する指によって、表示が遮蔽されることもあり得る。
【００６０】
上記のように、指定位置が変化したことを変化検知部５０が検知するため、入力面４１に指を接触させた状態でタブレット型端末１００の筐体を把持した後、当該入力面において指を移動させることにより、ユーザはより把持に適した位置を探すことができる。したがって、タブレット型端末１００は、ユーザに当該タブレット型端末の筐体をいっそう容易に把持させることができるため、ユーザの利便性をさらに向上させることができる。
【００６１】
ここで、変化検知部５０は、ユーザが一瞬（例えば１００ミリ秒）だけ入力面４１からタブレット型端末１００を把持する指を離し、再び接触させた場合も、指定位置が変化したことを検知してよい。
【００６２】
情報入力部（入力手段）１０は、判定部３０から圧力６ｃが圧力６ａより小さくないことを示す判定結果３ａが入力された場合、指定位置１ｂを入力された情報として受け付け、当該指定位置によって特定される入力情報７ｂを表示制御部７１に出力する。
【００６３】
また、情報入力部１０は、圧力和判定部３１から圧力和が圧力６ａと略等しくないことを示す判定結果３ａが入力された場合、指定位置１ｂを入力された情報として受け付け、当該指定位置によって特定される入力情報７ｂを表示制御部７１に出力してもよい。
【００６４】
また、情報入力部１０は、しきい値判定部３２から圧力６ａが圧力しきい値を超過しないことを示す判定結果３ｂが入力された場合、指定位置１ａを入力された情報として受け付け、当該指定位置によって特定される入力情報７ｂを表示制御部７１に出力する。
【００６５】
さらに、情報入力部１０は、指定位置１ａまたは指定位置１ｂを入力された情報として受け付けていない場合に、変化検知部５０から当該指定位置が変化したことを示す検知結果７ｃが入力された場合、変化した後の指定位置１ａまたは指定位置１ｂを入力された情報としてなお受け付けない。
【００６６】
例えば、「ＹＥＳ」または「ＮＯ」をユーザに選択させるダイアログがポップアップで表示された場合、当該表示が変化したことにより、情報入力部１０が指定位置１ａまたは指定位置１ｂを入力された情報として受け付けてしまうと、例えば当該指定位置に上記ダイアログのボタンが表示されたことにより、ユーザの意図しない選択肢が選ばれてしまうという不具合が考えられる。
【００６７】
したがって、こうした不具合を回避するために、情報入力部１０は、指定位置１ａまたは指定位置１ｂを入力された情報として受け付けていない場合、表示面７２に表示されるコンテンツの変化にかかわらず、当該指定位置を入力された情報としてなお受け付けなくともよい。
【００６８】
また、例えばタブレット型端末１００によって実行されるアプリケーションが切り替えられた場合、情報入力部１０が指定位置１ａまたは指定位置１ｂを入力された情報として受け付けてしまうと、例えば切り替えられた後のアプリケーションに、ユーザの意図しない入力が行われてしまうという不具合が考えられる。
【００６９】
したがって、こうした不具合を回避するために、情報入力部１０は、指定位置１ａまたは指定位置１ｂを入力された情報として受け付けていない場合、タブレット型端末１００によって実行される処理の変化にかかわらず、当該指定位置を入力された情報としてなお受け付けなくともよい。
【００７０】
上記のように、情報入力部１０がコンテンツや処理の変化にかかわらず、指定位置１ａまたは指定位置１ｂを入力された情報としてなお受け付けないことにより、ユーザは誤入力のおそれを意識することなく、筐体を把持するために入力面に接触できる。したがって、タブレット型端末１００は、ユーザに当該タブレット型端末の筐体をいっそう容易に把持させることができるため、ユーザの利便性をさらに向上させることができる。
【００７１】
表示部７０（出力手段）は、情報入力部１０によって指定位置１ａまたは指定位置１ｂが入力された情報として受け付けられていないことを、ユーザが認識可能に出力する。例えば、表示部７０は、明度を下げて（または明度を上げて）指定位置の周囲を表示したり、指定位置が凹部となるように表示したりしてよい。
【００７２】
あるいは、表示部７０は、スピーカ（図１において図示せず）から所定の音を出してもよい。さらに、表示部７０は、変化検知部５０によって指定位置が変化していることが検知された場合、当該指定位置の変化に追従して上記表示や所定の音を変化させてもよい。
【００７３】
これにより、タブレット型端末１００は、指定位置１ａまたは指定位置１ｂは当該タブレット型端末を把持するユーザの指によるものと判定していることを、ユーザに明示することができ、ユーザに安心感を与えることができる。
【００７４】
なお、表示部７０は、変化検知部５０によって変化したことが検知されない場合、（すなわち、ユーザによるタブレット型端末１００の利用状況が変化しない場合）、情報入力部１０によって指定位置１ａまたは指定位置１ｂが入力された情報として受け付けられていないことを、ユーザが認識可能に出力することを中断してもよい。
【００７５】
あるいは、表示部７０は、所定の一定時間（例えば、指定位置の変更が行われている場合や、行われた後の一定時間など）だけ出力してもよい。これにより、タブレット型端末１００は、表示面７２に表示される内容の視認性を向上させることができる。
【００７６】
また、例えばタブレット型端末１００によって写真が全画面表示された場合など、上記出力によって視認性が悪化することがある。したがって、表示部７０は、タブレット型端末１００によって所定の処理が実行されている場合、上記出力を中断してもよい。
【００７７】
さらに、表示部７０は、ユーザがタブレット型端末１００の使用を再開した場合、または（例えば、タブレット型端末１００の筐体を転倒させるなど、入力面４１の地面に対する向きを変更することにより）ユーザがタブレット型端末１００の表示の向きを変更した場合、情報入力部１０によって入力された情報として受け付けられていなかった指定位置１ａまたは指定位置１ｂを、ユーザが認識可能に出力してもよい。
【００７８】
これにより、タブレット型端末１００は、指定位置１ａまたは指定位置１ｂが当該タブレット型端末によって情報として受け付けられていなかったことを、ユーザに思い出させることができるため、ユーザに安心感を与えることができる。表示部７０は、表示制御部７１と表示面７２とを含む。
【００７９】
表示制御部７１は、入力情報７ｂに応じた処理の結果を表示面７２に表示できるように、表示用データ７ｄを表示面７２へ出力する。表示用データ７ｄは、例えばビットマップ形式の画像であってよいし、他の形式に従う画像、またはその他表示に適したデータ形式であってもよい。なお、表示制御部７１は、表示すべき内容を表示用データ７ｄへ形式変換できるものを含んでいればよく、例えば一般的なディスプレイアダプタでよい。
【００８０】
表示面７２は、表示制御部７１から入力される表示用データ７ｄを表示する装置である。本実施の形態では主に液晶ディスプレイ（Liquid Crystal Display；ＬＣＤ）を想定しているが、表示機能を有する装置（例えば、表示制御部７１から入力された表示用データ７ｄに基づき、表示素子を駆動するドライバ回路を備えた装置）でありさえすればハードウェアの種類は限定されない。
【００８１】
なお、図１には示していないが、タブレット型端末１００は、指定位置の時間変化や圧力しきい値を格納するための記憶部を備えてよい。なお、記憶部は、例えばハードディスク、半導体メモリ、ＤＶＤ等で構成できる。また、記憶部は、タブレット型端末１００に内蔵される機器であってもよいし、タブレット型端末１００の外部に通信可能に接続された外部記憶装置であってもよい。
【００８２】
〔タブレット型端末１００が実行する処理〕
図５に基づいて、タブレット型端末１００が実行する処理の流れを説明する。図５は、タブレット型端末１００が実行する処理の一例を示すフローチャートである。なお、以下の説明において、カッコ書きの「〜ステップ」は制御方法の各ステップを表す。
【００８３】
入力面４１が第１の接触（指定位置１ａ）を検知すると（ステップ１においてＹＥＳ：以下「ステップ１」を「Ｓ１」のように略記する）、圧力計測部２１は指定位置１ａに加わる圧力６ａを計測する（Ｓ２）。次に、しきい値判定部３２が、当該圧力が圧力しきい値（５.４Ｎ）を超過しているか否かを判定する（Ｓ３）。
【００８４】
当該圧力が圧力しきい値を超過していない場合（Ｓ３においてＮＯ）、情報入力部１０は、指定位置を入力された情報として受け付ける（Ｓ９）。
【００８５】
一方、当該圧力が圧力しきい値を超過している場合に（Ｓ３においてＹＥＳ）、入力面４１が第２の接触（指定位置１ｂ）を検知すると（Ｓ４においてＹＥＳ）、圧力計測部２１は指定位置１ｂに加わる圧力６ｂを計測する。また、圧力計測部２１は、指定位置１ａに加わる圧力６ｃを新たに計測する（Ｓ５）。
【００８６】
判定部３０は、圧力６ｃが圧力６ａよりも小さいか否かを判定する（第１の判定ステップ）。ここで、圧力和判定部３１が、圧力６ｂと圧力６ｃとの和（圧力和）が、圧力６ａと略等しいか否かを判定してもよい（Ｓ７、第１の判定ステップ）。判定部３０によってより小さくないと判定される場合、または圧力和判定部３１によって略等しいと判定される場合（Ｓ７においてＹＥＳ）、情報入力部１０は指定位置１ｂを入力された情報として受け付ける（Ｓ９、入力ステップ）。
【００８７】
一方、小さくない（略等しい、またはより大きい）と判定される場合（Ｓ７においてＮＯ）、入力面４１が指定位置１ａまたは指定位置１ｂを検知しなくなるまで（Ｓ８においてＮＯ）、タブレット型端末１００は上記Ｓ５〜Ｓ７の処理を繰り返す。
【００８８】
〔タブレット型端末１００が奏する効果〕
タブレット型端末１００は、入力面４１によって検知された指定位置１が、当該タブレット型端末を操作するユーザの指によるものか、当該タブレット型端末を把持するユーザの指によるものかを識別し、後者によって入力された情報のみを棄却できる。これにより、ユーザは誤入力のおそれを意識することなく、筐体を把持するために入力面４１に接触できる。
【００８９】
したがって、タブレット型端末１００は、ユーザに筐体を容易に把持させることができるため、ユーザの利便性を向上させることができるという効果を奏する。
【００９０】
〔まとめ〕
本発明の一態様に係る情報処理装置（タブレット型端末１００）は、
（１）ユーザにより指定された位置を検知可能な入力面を備え、当該指定された位置に基づいて情報の入力が可能な情報処理装置であって、
（２）前記指定された位置に加わる圧力を計測する第１の計測手段と、
（３）前記入力面によって第１の指定位置が検知され、前記第１の計測手段によって当該第１の指定位置に加わる第１の圧力が計測されている場合に、第２の指定位置がさらに検知されたとき、前記第１の指定位置において新たに計測される第２の圧力が、前記第１の圧力より小さいか否かを判定する第１の判定手段と、
（４）前記第１の判定手段によって前記第１の圧力より小さくないと判定される場合、前記第２の指定位置を入力された情報として受け付ける入力手段とを備えている。
【００９１】
本発明の一態様に係る情報処理装置の制御方法は、
（１）ユーザにより指定された位置を検知可能な入力面を備え、当該指定された位置に基づいて情報の入力が可能な情報処理装置の制御方法であって、
（２）前記入力面によって第１の指定位置が検知され、当該第１の指定位置に加わる第１の圧力が計測されている場合に、第２の指定位置がさらに検知されたとき、前記第１の指定位置において新たに計測される第２の圧力が、前記第１の圧力より小さいか否かを判定する第１の判定ステップと、
（３）前記第１の判定ステップにおいて前記第１の圧力より小さくないと判定される場合、前記第２の指定位置を入力された情報として受け付ける入力ステップとを含んでいる。
【００９２】
前述したように、従来の電子機器を片方の手からもう片方の手に持ち替える場合、後から当該電子機器を支えるもう片方の手が入力面に接触すると、当該従来の電子機器は、当該接触によって当該電子機器に入力のための操作が行われたと誤認識する。したがって、ユーザが電子機器を持ち替えたい場合であっても、従来の電子機器は、ユーザが意図しない入力を受け付けてしまうという問題がある。
【００９３】
これに対して、上記構成によれば、本発明の一態様に係る情報処理装置および当該装置の制御方法は、入力面によって第１の指定位置が検知され、当該第１の指定位置に加わる第１の圧力が計測されている場合に、第２の指定位置がさらに検知されたとき、第１の指定位置において新たに計測される第２の圧力が、先に計測された第１の圧力より小さいか否かを判定する。
【００９４】
これにより、上記情報処理装置等は、（ａ）入力面によって検知された第２の指定位置が、当該情報処理装置を操作するユーザの指によるものか、（ｂ）当該情報処理装置を把持するユーザの指によるものかを識別できる。ユーザが上記情報処理装置を両手で把持した場合、第１の圧力の一部が第２の指定位置によって肩代わりされることにより、第２の圧力は第１の圧力よりも小さくなるからである。
【００９５】
そして、上記情報処理装置等は、上記第２の圧力が第１の圧力より小さくないと判定される場合、第２の指定位置を入力された情報として受け付ける。すなわち、上記情報処理装置等は、上記（ｂ）と識別される場合は第２の指定位置を入力された情報として受け付けない。
【００９６】
これにより、ユーザは誤入力のおそれを意識することなく、筐体を把持するために入力面に接触できる。したがって、本発明の一態様に係る情報処理装置および当該装置の制御方法は、ユーザに当該情報処理装置の筐体を容易に把持させることができるため、ユーザの利便性を向上させることができる。
【００９７】
また、本発明の一態様に係る情報処理装置では、
（１）前記第１の判定手段は、前記第２の圧力と前記第２の指定位置に加わる第３の圧力との和が、前記第１の圧力と略等しいか否かをさらに判定し、
（２）前記入力手段は、前記判定手段によって略等しくないと判定される場合、前記第２の指定位置を入力された情報として受け付けてもよい。
【００９８】
上記第３の圧力は、第２の指定位置によって肩代わりされた第１の圧力の一部と略等しくなることが多い。ユーザが支える上記情報処理装置の重量は、当該情報処理装置を把持する態様によっては変わらないからである。上記構成により、上記情報処理装置は、上記（ａ）および（ｂ）をより正確に識別できる。
【００９９】
これにより、ユーザは誤入力のおそれを意識することなく、筐体を把持するために入力面に接触できる。したがって、本発明の一態様に係る情報処理装置は、ユーザに当該情報処理装置の筐体をいっそう容易に把持させることができるため、ユーザの利便性をさらに向上させることができる。
【０１００】
また、本発明の一態様に係る情報処理装置は、
（１）前記第１の計測手段によって計測された第１の圧力が所定のしきい値を超過したか否かを判定する第２の判定手段をさらに備え、
（２）前記入力手段は、前記第２の判定手段によって所定のしきい値を超過しないと判定される場合、前記第１の指定位置を入力された情報として受け付けてよい。
【０１０１】
すなわち、上記構成によれば、本発明の一態様に係る情報処理装置は、計測した圧力としきい値とを比較するという簡単な方法により、上記（ａ）および（ｂ）を識別できる。そして、後者と識別される場合、上記情報処理装置は第１の指定位置を入力された情報として受け付けない。
【０１０２】
これにより、ユーザは誤入力のおそれを意識することなく、筐体を把持するために入力面に接触できる。したがって、本発明の一態様に係る情報処理装置は、ユーザに当該情報処理装置の筐体をいっそう容易に把持させることができるため、ユーザの利便性をさらに向上させることができる。
【０１０３】
また、本発明の一態様に係る情報処理装置は、
（１）前記入力面における位置を指定するユーザの操作が当該入力面に沿って移動することにより、前記指定された位置が変化したことを検知する検知手段をさらに備え、
（２）前記入力手段は、前記指定された位置を入力された情報として受け付けていない場合に、前記検知手段によって当該指定された位置が変化したことが検知されたとき、変化した後の指定された位置を入力された情報としてなお受け付けなくともよい。
【０１０４】
上記構成によれば、入力面に指を接触させた状態で上記情報処理装置の筐体を把持した後、当該入力面において指を移動させることにより、ユーザはより把持に適した位置を探すことができる。
【０１０５】
したがって、本発明の一態様に係る情報処理装置は、ユーザに当該情報処理装置の筐体をいっそう容易に把持させることができるため、ユーザの利便性をさらに向上させることができる。
【０１０６】
また、本発明の一態様に係る情報処理装置は、
（１）前記入力手段によって指定された位置が入力された情報として受け付けられていないことを、ユーザが認識可能に出力する出力手段をさらに備えてよい。
【０１０７】
上記構成によれば、上記情報処理装置は、第１の指定位置または第２の指定位置は当該情報処理装置を把持するユーザの指によるものと判定していることを、ユーザに明示することができる。
【０１０８】
したがって、本発明の一態様に係る情報処理装置は、ユーザに当該情報処理装置の筐体をいっそう容易に把持させることができるため、ユーザの利便性をさらに向上させることができる。
【０１０９】
また、本発明の一態様に係る情報処理装置では、
（１）前記入力手段によって指定された位置が入力された情報として受け付けられていないことを、ユーザが認識可能に出力する出力手段をさらに備え、
（２）前記出力手段は、前記検知手段によって変化したことが検知されない場合、前記入力手段によって指定された位置が入力された情報として受け付けられていないことを、ユーザが認識可能に出力することを中断してもよい。
【０１１０】
上記構成によれば、上記情報処理装置は、当該情報処理装置が出力する内容をユーザが認識しやすくすることができる。したがって、本発明の一態様に係る情報処理装置は、ユーザの利便性をさらに向上させることができる。
【０１１１】
また、本発明の一態様に係る情報処理装置は、
（１）前記指定された位置の前記入力面に接触した面積を計測する第２の計測手段をさらに備え、
（２）前記第１の計測手段は、前記第２の計測手段によって計測された面積に応じた圧力を計測してよい。
【０１１２】
入力面に加わる圧力の強さと、ユーザの指が当該入力面に接触する面積との間には、相関関係が認められることが多い。上記構成によれば、上記情報処理装置は、面積を入力とする所定の計算を行うことによって圧力を計測できる。
【０１１３】
これにより、ユーザは誤入力のおそれを意識することなく、筐体を把持するために入力面に接触できる。したがって、本発明の一態様に係る情報処理装置は、ユーザに当該情報処理装置の筐体をいっそう容易に把持させることができるため、ユーザの利便性をさらに向上させることができる。
【０１１４】
また、本発明の一態様に係る情報処理装置では、
（１）前記入力手段は、前記指定された位置を入力された情報として受け付けていない場合、表示面に表示されるコンテンツの変化にかかわらず、当該指定された位置を入力された情報としてなお受け付けなくともよい。
【０１１５】
上記構成によれば、上記情報処理装置は、ユーザによって指定された位置が入力された情報として受け付けられていない場合、当該情報処理装置が備えた表示面に表示されるコンテンツが切り替わったとしても、当該情報処理装置は、上記指定された位置を入力された情報として受け付けない。
【０１１６】
これにより、ユーザは誤入力のおそれを意識することなく、筐体を把持するために入力面に接触できる。したがって、本発明の一態様に係る情報処理装置は、ユーザに当該情報処理装置の筐体をいっそう容易に把持させることができるため、ユーザの利便性をさらに向上させることができる。
【０１１７】
また、本発明の一態様に係る情報処理装置では、
（１）前記入力手段は、前記指定された位置を入力された情報として受け付けていない場合、前記情報処理装置が実行する処理の変化にかかわらず、当該指定された位置を入力された情報としてなお受け付けなくともよい。
【０１１８】
上記構成によれば、上記情報処理装置は、ユーザによって指定された位置が入力された情報として受け付けられていない場合、当該情報処理装置によって実行される処理が切り替わったとしても、当該情報処理装置は、上記指定された位置を入力された情報として受け付けない。
【０１１９】
これにより、ユーザは誤入力のおそれを意識することなく、筐体を把持するために入力面に接触できる。したがって、本発明の一態様に係る情報処理装置は、ユーザに当該情報処理装置の筐体をいっそう容易に把持させることができるため、ユーザの利便性をさらに向上させることができる。
【０１２０】
なお、前記情報処理装置はコンピュータによって実現してもよい。この場合には、コンピュータを前記情報処理装置の各手段として動作させることにより、前記情報処理装置をコンピュータで実現させる制御プログラム、およびこれを記録したコンピュータ読み取り可能な記録媒体も本発明の範疇に入る。
【０１２１】
〔各実施の形態に含まれる構成（技術的手段）の組み合わせについて〕
上述した実施の形態に含まれる構成は、適宜組み合わせられることに注意する。すなわち、上記の実施の形態で説明したすべての構成は、当該説明に係る実施の形態のみならず、他の実施の形態においても当該構成の全部または一部を組み合わせて利用でき、それによって得られる実施の形態についても本発明の技術的範囲に含まれる。
【０１２２】
〔ソフトウェアによる実現例〕
最後に、タブレット型端末１００の各ブロック（特に、制御部１０に含まれるそれぞれのブロック）は、集積回路（ＩＣチップ）上に形成された論理回路によってハードウェア的に実現してもよいし、ＣＰＵ（Central Processing Unit）を用いてソフトウェア的に実現してもよい。
【０１２３】
後者の場合、タブレット型端末１００は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備える。そして、本発明の目的は、上述した機能を実現するソフトウェアであるタブレット型端末１００の制御プログラムのプログラムコード（実行形式プログラム、中間コードプログラム、ソースプログラム）をコンピュータで読み取り可能に記録した記録媒体を、上記タブレット型端末１００に供給し、そのコンピュータ（またはＣＰＵやＭＰＵ）が記録媒体に記録されているプログラムコードを読み出し実行することによっても、達成可能である。
【０１２４】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１２５】
また、タブレット型端末１００を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１２６】
このように、本明細書においては、手段とは必ずしも物理的手段を意味せず、各手段の機能がソフトウェアによって実現される場合も含む。また、１つの手段の機能が２つ以上の物理的手段により実現されてもよいし、２つ以上の手段の機能が１つの物理的手段により実現されてもよい。
【産業上の利用可能性】
【０１２７】
本発明は、タブレット型端末、スマートフォン、パーソナルコンピュータなど、ユーザの操作により指定された入力面における位置を検知可能な電子機器等に広く適用できる。
【符号の説明】
【０１２８】
１ａ  指定位置（第１の指定位置、指定された位置）
１ｂ  指定位置（第２の指定位置、指定された位置）
６ａ  圧力（第１の圧力）
６ｂ  圧力（第３の圧力）
６ｃ  圧力（第２の圧力）
７ａ  ユーザ操作（ユーザの操作）
１０    情報入力部（入力手段）
２１    圧力計測部（第１の計測手段）
２２    面積計測部（第２の計測手段）
３０    判定部（第１の判定手段）
３１    圧力和判定部（第１の判定手段）
３２    しきい値判定部（第２の判定手段）
４１    入力面（入力面）
５０    変化検知部（検知手段）
７０    表示部（出力手段）
７２    表示面（表示面）
１００    タブレット型端末（情報処理装置）
【図１】
2014059765.tif 000004
【図２】
2014059765.tif 000005
【図３】
2014059765.tif 000006
【図４】
2014059765.tif 000007
【図５】
2014059765.tif 000008